(57)【要約】      （修正有）【課題】基本のスライド動作の他に、各種のトレーニングができ、更に長板は相対して折り畳み、底板の長さを使用時の半分に短縮することで収納もしくは携帯が便利な多機能スライド式健康器具を提供する。【解決手段】多機能スライド式健康器具は、主に底板１の両長板１１を相対し蝶番で接合して構成する。両長板は、蝶番軸節の別一面には数本の弾性紐体２３を相互に差し込み、且つ長板の末端には弾力引き紐３を差し込む。両脚置板２の間には数本の弾性紐体で連接し、且つ底板は長板のレール１１１の一側もしくは両側に平行で手すりを設置し、操作者は手すりを握り、スライド動作以外の各種伸張動作を行う。底板には複数個の調節差込孔を設置し、必要に応じて各組の調節差込孔上に差し込み、脚置板を特定距離内でのスライドに限定し、適用性を高める。【選択図】図１
0003162539.tif 000002
【実用新案登録請求の範囲】
【請求項１】
主に長形の底板を主体とし、底板上にレールを成形し、他に回転車輪を付設した一足の脚置板を底板のレール上に置く多機能スライド式健康器具において、
該底板は、長板の板面で末端箇所近くに一対の固定差込孔を設置し、そこに停止スタンドを設置して脚置板が底板のレールから脱落するのを防止し、他に複数対の調節差込孔を適する間隔で長板の板面上に設置して、そこに他の停止スタンドを選択して差し込み、脚置板の底板上のスライド距離を調節し、底板には、長板と平行のレールの一側もしくは両側に、ハンドルを設置し、ユーザーの平衡感覚を強化し、更に、その両脚置板は数本の弾性紐体を差し込んでもよく、脚置板のヘッド末端に固定孔を設置し、ハンドルを脚置板のヘッド末端に固定し、脚置板の底部の回転車輪を底板のレール内に嵌合することで、その他外力の影響によって脱輪するのを防止することを特徴とする多機能スライド式健康器具。
【請求項２】
前記両長板は、蝶番軸節と別一面に数本の相対する長形槽を設置し、長形槽の末端は直径が槽幅の端孔より大きいため、弾性紐体を長形槽内に入れやすく、且つ弾性紐体の両端が円球状の固定端であることによって端孔と嵌合させ、簡単な嵌合動作によって両長板を相互に接合することを特徴とする請求項１記載の多機能スライド式健康器具。
【請求項３】
前記両脚置板は、その辺側の板縁上に複数個の穿孔を設置して弾性紐体でその両端の固定端と穿孔を相互に嵌合し、両脚置板を連接することを特徴とする請求項１もしくは２記載の多機能スライド式健康器具。
【請求項４】
前記脚置板は、ヘッド末端に固定孔を設置してハンドルを脚置板のヘッド末端に固定することを特徴とする請求項１、２もしくは３記載の多機能スライド式健康器具。
【請求項５】
前記底板のレールは、その両側壁面に凹溝を成形し、脚置板の回転車輪の車輪枠両端に形成した凸辺をレール凹溝に嵌入し、脚置板の脱輪を防止することを特徴とする請求項１、２、３もしくは４記載の多機能スライド式健康器具。
【考案の詳細な説明】
【技術分野】
【０００１】
本考案は、多機能スライド式健康器具に関するもので、特に基本のスライド動作の他にユーザーが健康器具各部位を利用して関節を動かしたり、底板と平行の長板のレールの手すりによってユーザーの平衡感覚を強化したり、更に弾性紐体の引張作用によって，各種の筋肉、経絡を伸長させる訓練を各部位に施す健康効果を備えた健康器具に係わる。
【背景技術】
【０００２】
市場に出ている健康器具には、体の様々な筋肉を協調させることによって筋肉トレーニングをするものが各種ある。各式のトレーニング器材において、中でも両足を相互に伸長させてスライド動作することによって健康効果を高めるスライド器構造があり、そのスライド器本体は、長形の底板を主体とし、底板上にはレールを設置する。他に回転車輪を付設した一足の脚置板を底板のレール上に置き、ユーザーの両足をそれぞれ脚置板上に置く。両足をスライドする動作によって全身の筋肉経絡のリズムを整える健康効果を達成する。
【考案の概要】
【考案が解決しようとする課題】
【０００３】
解決しようとする問題点は、ユーザーがスライド動作をする時、その両足を外側へ張り出す幅によって整体の効果に影響を与える。そのため、底板は一定の長さを備えてこそ、基本の開脚の要求を達成することができるので、スライド器の体積は一定の大きさになってしまい、そのため携帯や収納に不便であり、使用上、様々な問題がある。また、その機能は、両足のスライド動作だけなので、動作が単調でユーザーが飽きやすい点である。
【課題を解決するための手段】
【０００４】
本考案は、主に底板の両長板を相対し蝶番で接合して構成する。両長板は、蝶番軸節の別一面には数本の弾性紐体を相互に差し込み、且つ長板の末端には弾力引き紐を差し込む。両脚置板の間には数本の弾性紐体で連接し、且つ底板は長板のレールの一側もしくは両側に平行で手すりを設置し、操作者は手すりを握り、スライド動作以外の各種伸張動作を行う。底板には複数個の調節差込孔を設置し、必要に応じて各組の調節差込孔上に差し込み、脚置板を特定距離内でのスライドに限定し、適用性を高めることを最も主要な特徴とする。
【考案の効果】
【０００５】
本考案の多機能スライド式健康器具は、基本のスライド動作の他に、関節を動かしたり、平衡感覚を強化したり、更に弾性紐体の引張作用によって，各種の筋肉、経絡を伸長させる訓練を各部位に施す健康効果を備えるという利点がある。
【図面の簡単な説明】
【０００６】
【図１】本考案の良好な実施例の全体構造外観図である。
【図２】本考案の構造分解図である。
【図３】本考案の底板の裏側構造指示図である。
【図４】本考案の脚置板の回転車輪と底板レール間の嵌合構造断面図である。
【図５】本考案の両足スライド動作操作指示図である。
【図６】本考案の両足スライド動作操作指示図である。
【図７】本考案の片足スライド動作操作指示図である。
【図８】本考案の片足スライド動作操作指示図である。
【図９】本考案の腰のツイスト動作に腕の伸縮を合わせた操作指示図である。
【図１０】本考案の腕の筋肉トレーニングの操作指示図である。
【図１１】本考案の手部を固定して膝頭をスライドする操作指示図である。
【図１２】本考案の膝頭を固定して手部をスライドする操作指示図である。
【図１３】本考案の別一実施例の外観図である。
【図１４】本考案の別一実施例の手すりを使って両足をスライドする操作指示図(一)である。
【図１５】本考案の別一実施例の手すりを使って両足スライドする操作指示図(二)である。
【考案を実施するための形態】
【０００７】
本考案「多機能スライド式健康器具」は、底板の両長板を相対させて蝶番で接合する。両長板は蝶番軸節の別一面に数本の弾性紐体を相互に設置し、且つ長板の末端には弾力引き紐を掛合する。両脚置板の間は、数本の弾性紐体で連接し、且つ底板の長板のレールと平行な一側もしくは両側にはハンドルを設置し、ユーザーの平衡感覚を強化する。操作者は手で手すりを握り、スライド動作をする他に、各種伸張動作を行う。底板には数個の調節差込孔を設置し、各組の調節差込孔上に必要に応じて差し込むことで、脚置板を特定距離内で制限してスライドさせ、適用性を高めることを本考案の主な目的とする。
【０００８】
本考案「多機能スライド式健康器具」は、スライド健康器具の操作者は、両足をそれぞれ脚置板に置き、両腕を底板の一側もしくは両側の手すりにつかまる。該手すりは底板上にネジ止めもしくは溶接し、その手すりは底板から上向きに台形状で成形される。脚置板の左右スライドによって腰を伸縮させて腹部筋肉を動かし、ユーザーの平衡感覚を強化することを本考案の別の目的とする。
【実施例】
【０００９】
本考案「多機能スライド式健康器具」の基本構造は、図１及び図２に示すとおり、主に長形の底板１を主体とし、底板１上にレール１１１を成形する。他に回転車輪２１を設置した脚置板２一足を底板１のレール１１１上に架設する。そのうち、底板１は、二枚の長板１１を並べて蝶番１２で接合し、そのレール１１１全体も両長板１１上のレール１１１が相対して接続して形成される。図３に示すとおり、両長板１１は、蝶番軸節の別一面に複数本の相対する長形槽１３が成形され、長形槽１３の末端には円直径が槽幅より大きい端孔１３１が成形されて、弾性紐体１４を長形槽１３内に入れやすくする。更に、弾性紐体１４両端が円球状の固定端１４１に成形されていることにより、端孔１３１と嵌合しやすくなっており、両長板１１を相互に結合する。他に長板１１の末端には別に掛輪１７が成形され、両端に持ち手リング３１と掛鉤３２を設置した弾力引き紐３が掛鉤３２によって長板１１の掛輪１７と相互に掛けやすくして底板１の両端に弾力引き紐３構造を形成する。長板１１の板面は末段近くに一対の固定差込孔１１２を成形し、そこに停止スタンド１５を差し込み、脚置板２が底板１レールから脱輪してしまうのを防止する。他に複数対の調節差込孔１１３を設置して適する間隔で長板１１の板面上に設置し、そこにその他の停止スタンド１６を選択して差し込む。脚置板２を調節することで底板１上の滑動距離を調整する。
【００１０】
両脚置板２は、その辺側の板縁上に複数個の穿孔２２を成形し、弾性紐体２３の両端の固定端２３１によって穿孔２２と相互に嵌合しやすくし、それを両脚置板２に嵌め込む。同時に脚置板２のヘッド末端には別に固定孔２４を成形し、ハンドル４を脚置板２のヘッド末端に固定する。且つ図４に示すとおり、底板１のレール１１１は、その両側壁面に凹溝１１４を成形し、脚置板２の回転車輪２１の車輪枠２１１両端に成形された凸辺２１２と合わせてレール１１１の凹溝１１４内に嵌入し、脚置板の脱落を防止する。
【００１１】
本考案「多機能スライド式健康器具」の操作方式は、先ず、図５、図６に示すとおり、両足でスライド運動する。先ずは自分の体に合わせて異なる数目の弾性紐体２３を選び、それを両脚置板２間に差し込む。そして両脚置板２間に弾力回復作用を形成し、続いて両足でそれぞれ底板１の両端に向かって広げ、スライド歩行効果を達成する。また、図７、図８に示すとおり、一脚置板２を停止スタンド１５、１６で底板１の一端に固定し、両足に異なる力をかけて脚置板２を外側へ広げ、足の筋肉トレーニング効果を達成する他に、脚置板２上の凸粒によって足裏のマッサージを施す。この他、図９に示すとおり、操作者は、両足をそれぞれ底板１両辺の長板１１上に置き、次に両腕で底板１両端に掛けた弾力引き紐３を引っ張り、腰のツイスト及び両腕の伸張動作を行う。更に図１０に示すとおり、操作者は両足を底板１単辺の長板１１上に置き、別に長板１１末端に弾力を備えない引き紐５を設置し、引き紐５末端の掛合リング５１を長板１１の掛輪１７上に掛合し、腕で長板１１末端の引き紐５を引っ張り、長板１１の蝶番１２軸節箇所で折り曲げたり、またはユーザーの異なる要求に依って長板１１底面に弾性紐体１４を設置したりすることで、筋肉トレーニング効果を達成する。また異なる数目の弾性紐体を選択して両長板間に掛合することで、両長板の折り曲げの難易度を調節する。また図１１に示すとおり、操作者は停止スタンド１５、１６のうちの一脚置板２を固定し、両腕で固定した脚置板２を支え、更に膝頭を立て別に活動する脚置板２上にはクッション２５を追加設置して膝頭が傷つかないようにする。そして可動する脚置板のスライドに依って、腰を伸ばしたり縮めたりして腹部の筋肉をトレーニングする。もしくは図１２に示すとおり、両膝頭を脚置板２に固定し、両手で脚置板２ヘッド末端のハンドル４を握り、同様に脚置板２のスライドに依って、腰を伸ばしたり縮めたりして腹部の筋肉を鍛える。最後に、本考案のスライド健康器具を使用しない時には、底板上の各差込部品を取り外し、底板の裏側に差し込んだ弾性紐体を取り外し、底板両端の長板を相対して折り畳み、底板の長さを使用時の半分にすることに依って收納もしくは携帯しやすくする。
【００１２】
更に、図１３は、別の一実施例である。操作者は、両足をそれぞれ脚置板２に置き、両腕は底板１の一側もしくは両側の手すり１１５で押さえ、該手すり１１５は底板１上にネジ止め、もしくは溶接し、手すりを底板１から上向きに台形状に形成し、脚置板２を左右にスライドさせることで腰を伸ばしたり、縮めたりして腹部を鍛え(例として図１４、図１５)、ユーザーの平衡感覚を強化する。
【００１３】
本考案「多機能スライド式健康器具」は、底板の両長板を相対させ、蝶番で接合して形成され、両長板の蝶番軸節と別一面には数本の弾性紐体を相互に嵌合し、且つ長板の末端には弾力引き紐を設置する。両脚置板間には、数本の弾性紐体を差し込み、操作者にスライド運動以外に各種の伸張動作を提供し、脚置板のスライドによって適用性が増す。同時に底板両端の長板は相対して折り畳み、底板の長さを使用時の半分に短縮することで、収納もしくは携帯が便利になる。スライド健康器具構造の実行可能な方式を提供し、法に基づき実用新案登録を申請する。
【符号の説明】
【００１４】
１        底板
１１        長板
１１１        レール
１１２        固定差込孔
１１３        調節差込孔
１１４        凹溝
１１５        手すり
１２        蝶番
１３        長形槽
１３１        端孔
１４        弾性紐体
１４１        固定端
１５        停止スタンド
１６        停止スタンド
１７        掛輪
２        脚置板
２１        回転車輪
２１１        車輪枠
２１２        凸辺
２２        穿孔
２３        弾性紐体
２３１        固定端
２４        固定孔
２５        クッション
３        弾力引き紐
３１        持ち手リング
３２        掛鉤
４        ハンドル
５        引き紐
５１        掛合リング
【図１】
0003162539.tif 000003
【図２】
0003162539.tif 000004
【図３】
0003162539.tif 000005
【図４】
0003162539.tif 000006
【図５】
0003162539.tif 000007
【図６】
0003162539.tif 000008
【図７】
0003162539.tif 000009
【図８】
0003162539.tif 000010
【図９】
0003162539.tif 000011
【図１０】
0003162539.tif 000012
【図１１】
0003162539.tif 000013
【図１２】
0003162539.tif 000014
【図１３】
0003162539.tif 000015
【図１４】
0003162539.tif 000016
【図１５】
0003162539.tif 000017
【手続補正書】
【提出日】平成22年7月6日(2010.7.6)
【手続補正１】
【補正対象書類名】実用新案登録請求の範囲
【補正対象項目名】請求項１
【補正方法】変更
【補正の内容】
【請求項１】
長形の底板を主体とし、底板上にレールを成形し、他に回転車輪を付設した一足の脚置板を底板のレール上に置く多機能スライド式健康器具において、
該底板は、長板の板面で末端箇所近くに一対の固定差込孔を設置し、そこに停止スタンドを設置して脚置板が底板のレールから脱落するのを防止し、他に複数対の調節差込孔を適する間隔で長板の板面上に設置して、そこに他の停止スタンドを選択して差し込み、脚置板の底板上のスライド距離を調節し、底板には、長板と平行のレールの一側もしくは両側に、ハンドルを設置し、ユーザーの平衡感覚を強化し、更に、その両脚置板は数本の弾性紐体により相互に連結され、脚置板のヘッド末端に固定孔を設置し、ハンドルを脚置板のヘッド末端に固定し、脚置板の底部の回転車輪を底板のレール内に嵌合することで、その他外力の影響によって脱輪するのを防止することを特徴とする多機能スライド式健康器具。
【手続補正２】
【補正対象書類名】実用新案登録請求の範囲
【補正対象項目名】請求項２
【補正方法】変更
【補正の内容】
【請求項２】
前記両長板は、蝶番により接合され、該蝶番が設けられている両長板の向かい合う面には複数の長形槽が形成され、該長形槽の両末端には円直径が槽幅より大きい端孔が形成されて、弾性紐体を長形槽内に入れやすく、且つ弾性紐体の両端が円球状の固定端であることによって端孔と嵌合させ、簡単な嵌合動作によって両長板を相互に接合することを特徴とする請求項１記載の多機能スライド式健康器具。
【手続補正３】
【補正対象書類名】明細書
【補正対象項目名】０００９
【補正方法】変更
【補正の内容】
【０００９】
本考案「多機能スライド式健康器具」の基本構造は、図１及び図２に示すとおり、主に長形の底板１を主体とし、底板１上にレール１１１を成形する。他に回転車輪２１を設置した脚置板２一足を底板１のレール１１１上に架設する。そのうち、底板１は、二枚の長板１１を並べて蝶番１２で接合し、そのレール１１１全体も両長板１１上のレール１１１が相対して接続して形成される。図３に示すとおり、両長板１１は、蝶番１２により接合され、該蝶番１２が設けられている両長板１１の向かい合う面には複数の長形槽１３が形成され、長形槽１３の末端には円直径が槽幅より大きい端孔１３１が成形されて、弾性紐体１４を長形槽１３内に入れやすくする。更に、弾性紐体１４両端が円球状の固定端１４１に成形されていることにより、端孔１３１と嵌合しやすくなっており、両長板１１を相互に結合する。他に長板１１の末端には別に掛輪１７が成形され、両端に持ち手リング３１と掛鉤３２を設置した弾力引き紐３が掛鉤３２によって長板１１の掛輪１７と相互に掛けやすくして底板１の両端に弾力引き紐３構造を形成する。長板１１の板面は末段近くに一対の固定差込孔１１２を成形し、そこに停止スタンド１５を差し込み、脚置板２が底板１レールから脱輪してしまうのを防止する。他に複数対の調節差込孔１１３を設置して適する間隔で長板１１の板面上に設置し、そこにその他の停止スタンド１６を選択して差し込む。脚置板２を調節することで底板１上の滑動距離を調整する。
【手続補正４】
【補正対象書類名】明細書
【補正対象項目名】００１０
【補正方法】変更
【補正の内容】
【００１０】
両脚置板２は、その辺側の板縁上に複数個の穿孔２２を成形し、弾性紐体２３の両端の固定端２３１によって穿孔２２と相互に嵌合しやすくし、それを両脚置板２に嵌め込む。よって、上記両脚置板２は、数本の弾性紐体２３により相互に連結される。同時に脚置板２のヘッド末端には別に固定孔２４を成形し、ハンドル４を脚置板２のヘッド末端に固定する。且つ図４に示すとおり、底板１のレール１１１は、その両側壁面に凹溝１１４を成形し、脚置板２の回転車輪２１の車輪枠２１１両端に成形された凸辺２１２と合わせてレール１１１の凹溝１１４内に嵌入し、脚置板の脱落を防止する。